(57)【要約】【課題】  底面の後部中央に排水口が設けられ、排水口の左右のどちらか一方に水栓設置部が設けられたシンクに適した溝を備えたシンクを提供すること。【解決手段】  底面部１１と周壁部１２とを備え、底面部１１の後部中央部に排水口１３が設けられ、排水口１３の左側に、底面部１１から立ち上がった前面部１４ａと前面部１４ａの上端部と周壁部１２の後部左傾斜部１２ｅに繋がる上面部１４ｂとを備えた水栓設置部１４が設けられたシンク１０に、第１の溝１５と第２の溝１６を設けた。第１の溝１５は、水栓設置部１４の前面部１４ａに沿って底面部１１に形成し、第２の溝１６は、第１の溝１５とで排水口１３を挟んだ状態で、周壁部１２の後壁部１２ｃに沿って形成した。【選択図】  図１
2018012947.tif 000002
【特許請求の範囲】
【請求項１】
底面と周壁面とを備え、前記底面の後部中央部に排水口が設けられ、前記排水口の左右のどちらか一方に、前記底面から立ち上がった前面と前記前面の上端部から後方に延び前記周壁面に繋がる上面とを備えた水栓設置部が設けられたシンクであって、
前記水栓設置部の前面に沿って前記シンクの底面に形成され前記排水口に向かって下り傾斜になった第１の溝と、
前記水栓設置部が設けられていない側であって前記排水口の側方に、前記周壁面のうち後側の周壁面に沿って前記シンクの底面に形成され前記排水口に向かって下り傾斜になった第２の溝と
を備えたことを特徴とするシンク。
【請求項２】
前記排水口が平面視で各辺を前後左右に配置した四角形に形成され、前記第１および第２の溝が、それぞれ前記排水口の対応する側部に繋がっている請求項１に記載のシンク。
【請求項３】
前記排水口が、排水凹部と、前記排水凹部の底面に形成された排水孔とで構成され、前記排水凹部の後壁面の上端部が前記シンクの周壁面の下端部に接続されている請求項１または２に記載のシンク。
【発明の詳細な説明】
【技術分野】
【０００１】
本発明は、底面に排水口に向かう溝が設けられたシンクに関する。
【背景技術】
【０００２】
台所で使用されるシンクの底面には、使用済の水を流すための勾配が設けられ、その勾配の下端部分に排水口が形成されている。このようなシンクの中に、シンク内の水を排水口に導くための溝が形成されたものがある（例えば、特許文献１参照）。このシンクは、平面視が略四角の底面の周縁部から周壁部が立ち上がった形状をしており、底面の後部における左右方向の中央部分に排水口が形成されている。また、底面の後部には、排水口を挟んで左右に延びる一対の溝が左右対称に形成されており、シンク内の水は、底面の中央側から後部の左右両側に周り込んだのちに一対の溝内を通過して排水口に流れるように構成されている。
【先行技術文献】
【特許文献】
【０００３】
【特許文献１】特許第３３８０３９９号公報
【発明の概要】
【０００４】
前述したシンクでは、水栓が、シンクの後壁面中央部分の後方に設置されているが、シンクの中には、作業面（底面）を広くして使い勝手をよくするために、水栓を設置するための水栓設置部をシンクの後部の左右どちらか一方に設けたものもある。この場合、前述した従来のシンクのように、左右対称の一対の溝を設けることはできなくなる。
【０００５】
本発明は、前述した問題に対処するためになされたもので、その目的は、底面の後部中央に排水口が設けられ、排水口の左右のどちらか一方に水栓設置部が設けられたシンクに適した溝を備えたシンクを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係るシンクの構成上の特徴は、底面（１１）と周壁面（１２）とを備え、底面の後部中央部に排水口（１３）が設けられ、排水口の左右のどちらか一方に、底面から立ち上がった前面（１４ａ）と前面の上端部から後方に延び周壁面（１２ｅ）に繋がる上面（１４ｂ）とを備えた水栓設置部（１４）が設けられたシンク（１０）であって、水栓設置部の前面に沿ってシンクの底面に形成され排水口に向かって下り傾斜になった第１の溝（１５）と、前記水栓設置部（１４）が設けられていない側であって排水口（１３）の側方に、周壁面の後部（１２ｃ）に沿ってシンクの底面に形成され排水口に向かって下り傾斜になった第２の溝（１６）とを備えたことにある。
【０００７】
本発明に係るシンクでは、底面の後部における左右方向の中央部分に排水口が形成されその排水口の左右のどちらか一方に水栓を設置するための水栓設置部が設けられている。そして、第１の溝は、水栓設置部の前面に沿って形成され、第２の溝は、底面の後部における水栓設置部が設けられていない方の周壁面に沿って形成されている。このため、シンク底面の前部側から水栓設置部側に流れた水は第１の溝を通過して排水口に流れ、シンク底面の前部側からシンク底面の後部における水栓設置部が位置していない方に流れた水は第２の溝を通過して排水口に流れる。
【０００８】
この場合、シンク内に残菜があればこの残菜も水と一緒に排水口に向かって流れる。そして、残菜と水が水栓設置部の前面や周壁面に勢いよく当たってシンク底面の前部側に跳ね返されようとしても、第１および第２の溝の側部がシンク前方に位置しているため、残菜は溝の側部に当たり、シンク底面に戻ってくることなく、排水口に導かれる。
【０００９】
また、本発明に係るシンクの他の構成上の特徴は、排水口が平面視で各辺を前後左右に配置した四角形に形成され、第１および第２の溝が、それぞれ排水口の対応する側部に繋がっていることにある。
【００１０】
本発明によると、一方の溝に水が大量に流れ、排水口で溢れたとしても、他方の溝に溢れた水が逃げることができるので、シンクの手前側に残菜が流れにくい。なお、本発明において、排水口の側部とは、排水口の四角形の左右両側の辺に対応する部分であり、対応する側部に繋がっているとは、第１および第２の溝と排水口とがそれぞれ対向して連通した部分に、第１および第２の溝をそれぞれ流れる水や残菜がそのまま通過できる状態のことである。
【００１１】
本発明に係るシンクのさらに他の構成上の特徴は、排水口が、排水凹部（１３ａ）と、排水凹部の底面に形成された排水孔（１３ｂ）とで構成され、排水凹部の後壁面（１３ｃ）の上端部がシンクの周壁面の下端部に接続されていることにある。
【００１２】
排水凹部は、シンクの底面から流れてくる水を排水孔に導くために設けられた凹部であり、その後壁面は傾斜して上下に延びている。また、シンクの周壁面は、シンク内の水が外部に流れ出ることを防止するために設けられた壁面であり、上下に延びている。このため、排水凹部の後壁面の上端部とシンクの周壁面の後部の下端部とを接続することにより、排水凹部の後方に、残菜などが溜まるスペース（水平面）がなくなる。これによって、第１および第２の溝から水と一緒に排水凹部に流れてきた残菜は、一旦排水凹部の後方に移動したとしても、その後、下降して排水凹部内に向かうようになる。
【図面の簡単な説明】
【００１３】
【図１】本発明の一実施形態に係るシンクを示した平面図である。
【図２】図１の２−２断面図である。
【図３】図１の３−３断面図である。
【図４】排水口蓋を外したシンクを示した平面図である。
【図５】図４の５−５断面図である。
【図６】図４の６−６断面図である。
【図７】図４の７−７断面図である。
【図８】図４の８−８断面図である。
【図９】排水口蓋を示しており、（ａ）は平面図、（ｂ）は正面図、（ｃ）は側面図である。
【発明を実施するための形態】
【００１４】
以下、本発明の一実施形態を図面を用いて説明する。図１ないし図３は、同実施形態に係るシンク１０を示しており、図４ないし図６は、後述する排水口蓋１７を取り外したシンク１０を示している。以下の説明において、シンク１０の前部は図１の下部側で後部は図１の上部側とする。このシンク１０では、底面部１１の周縁部（後部左側の一部を除いた部分）から周壁部１２を立ち上げて樹脂の一体成形からなるシンク本体１０ａが構成されている。そして、底面部１１の後部における左右方向の中央に排水口１３が形成され、底面部１１の後方における排水口１３の左側には水栓設置部１４が形成されている。また、底面部１１の上面における水栓設置部１４の前方には第１の溝１５が形成され、底面部１１の上面の後部右側部分には第２の溝１６が形成されている。さらに、排水口１３には排水口蓋１７が設置されている。
【００１５】
底面部１１の平面視による形状は、前後よりも左右が長い四角形の後部左側部分を斜めに切り欠いた形状に形成されており、各角部にはそれぞれアールがつけられて角部が丸く形成されている。底面部１１の左縁部１１ａの長さは右縁部１１ｂの長さの６／１０程度に設定され、底面部１１の後縁部１１ｃの長さは前縁部１１ｄの長さの６／１０程度に設定されている。底面部１１の後部左縁部１１ｅは、左縁部１１ａの後端部から後縁部１１ｃに向かって右後方に真っすぐに延びたのちに後方に延びて、後縁部１１ｃの左端部に繋がっている。この底面部１１の上面には、前部から後部にかけて僅かに下り傾斜になった勾配が設けられている。
【００１６】
周壁部１２は、後部左縁部１１ｅを除いた底面部１１の各縁部１１ａ，１１ｂ，１１ｃ，１１ｄと水栓設置部１４の外周側縁部から上方に延びており、左側壁部１２ａ、右側壁部１２ｂ、後壁部１２ｃ、前壁部１２ｄおよび後部左傾斜部１２ｅを備えている。左側壁部１２ａは左縁部１１ａから上方に延び、右側壁部１２ｂは右縁部１１ｂから上方に延び、後壁部１２ｃは後縁部１１ｃから上方に延び、前壁部１２ｄは前縁部１１ｄから上方に延びている。後部左傾斜部１２ｅは、左側壁部１２ａの後端部の上端部分から後方に延びたのちに、右後方に傾斜して延びさらに右方向に延びて、後壁部１２ｃの左端部の上端部分に繋がっている。
【００１７】
周壁部１２の各角部および周壁部１２と底面部１１の各角部にもそれぞれアールがつけられて角部が丸くなっている。なお、本実施形態では、各縁部１１ａ，１１ｂ，１１ｃ，１１ｄは底面部１１と周壁部１２とのアール部分の中央部としている。また、周壁部１２の上端部には、外側に水平に突出する環状のフランジ部１２ｆが形成されている。フランジ部１２ｆの左右の外縁部間の長さは８５０ｍｍに設定され、フランジ部１２ｆの前後の外縁部間の長さは５９０ｍｍに設定されている。フランジ部１２ｆの幅はシンクの前後方向、すなわち図５に示されたフランジ部１２ｆの幅が３０ｍｍに設定されており、横方向、すなわち図６に示されたフランジ部１２ｆの幅が２５ｍｍに設定されている。また、シンク本体１０ａの高さは２００ｍｍに設定されている。
【００１８】
排水口１３は、排水凹部１３ａと、排水凹部１３ａの底部に形成された排水孔１３ｂとを備えている。排水口１３は、後述する第１の溝１５の底部と第２の溝１６の底部とに形成されている。排水凹部１３ａの平面視による形状は、前後よりも左右が長い四角形の各角部にそれぞれアールをつけて角部を丸くした形状に形成されている。また、排水凹部１３ａの断面形状は、図３および図６に示した側方から見た状態では、下端部の幅と高さ（深さ）が略同じで、上端部の幅は下端部の幅の１．７倍程度に設定され、上部から下部に行くほど径が小さくなった内面凹状の曲面に形成されている。
【００１９】
排水凹部１３ａの断面形状を、図２および図５に示した前方から見た状態では、下端部の幅と高さが略同じで、上端部の幅は下端部の幅の２．４倍程度に設定され、上部から下部に行くほど径が小さくなった内面凹状の曲面に形成されている。排水孔１３ｂは、円形の孔で構成されており、シンク１０を流し台に設置するときに穿孔され、その周縁部に外部に通じる排水管が接続される。また、図６に示したように、排水凹部１３ａの後壁面１３ｃと、後壁部１２ｃの前面は、殆ど段のない状態で繋がって連続した壁面を構成している。
【００２０】
水栓設置部１４は、底面部１１の後部左縁部１１ｅから上方に延びる前面部１４ａと、前面部１４ａの上端部と後部左傾斜部１２ｅの下端部との間に設けられた上面部１４ｂとで構成されている。前面部１４ａは、上部が外側（後側および左側）に位置するように僅かに傾斜しており、底面部１１との境界部にはアールがつけられている。また、前面部１４ａの右端側部分を除いた前方から見える部分は平面状に形成されている。なお、本実施形態では、底面部１１と前面部１４ａとのアール部分の中央部を後部左縁部１１ｅとしている。
【００２１】
また、水栓設置部１４の前面部１４ａの両側端部のうち、左側の側端部がシンク１０の左側壁部１２ａに接続され、排水口１３の側部前端よりも前方に位置している。このため、水栓設置部の前面部１４ａが、排水口１３に近い部分よりも、排水口１３から離れた部分の方が徐々に前方に位置するように傾斜した状態で水栓設置部１４が設置できる。この水栓設置部１４には、給水するための水栓が設置されるが、水栓設置部１４に２つの水栓が設置されることもある。この場合、一般に２つの水栓は２００ｍｍ程度の間隔を保って設置される。
【００２２】
このとき、水栓設置部１４を傾斜させることなく左右に真っ直ぐに延ばした線上に位置させたときよりも、水栓設置部１４を傾斜した線上に位置させたときの方が左右方向の長さが短くなるため、水栓設置部１４を傾斜させることで、シンク１０の作業面を広くすることができる。例えば、シンク１０の形状が平面視で四角形の場合、シンク１０の後部の左右両側部分は、作業面として使用しづらい部分であるため、この部分に水栓設置部１４を設けてもシンク１０の作業面の広さに殆ど影響はでない。また、傾斜させた水栓設置部１４の前面部１４ａに平行させて２つの水栓を配置すると、使用者がシンク１０の中央前方に立ったときに、２つの水栓が同程度の距離に位置するため、２つの水栓の使い勝手がよくなる。
【００２３】
上面部１４ｂは、後方から前方に向かって僅かに下り傾斜になった平面状に形成されており、前面部１４ａおよび後部左傾斜部１２ｅとの境界部にはそれぞれアールがつけられている。なお、図示は省略しているが、上面部１４ｂには、２つの水栓が設置される。上面部１４ｂには、水栓取付け用の２つの孔１４ｃが、上面部１４ｂの傾斜した前縁部に沿うようにするとともに互いの間隔を２００ｍｍにして設けられ、各孔１４ｃにそれぞれ水栓が設置される。２つの水栓は、例えば、一方が水道水を供給する水栓で、他方が浄水を供給する水栓にすることができる。
【００２４】
第１の溝１５は、底面部１１の後部左縁部１１ｅに沿って、後部左縁部１１ｅの左右の中央部分から排水凹部１３ａまでの間に形成されている。そして、第１の溝１５は排水凹部１５の側部の前端部を含む一部に繋がっている。この第１の溝１５の幅は、全体にわたって約５０ｍｍに設定されている。なお、第１の溝１５の幅は、図７に示した前部の壁部１５ａの上端部と、前面部１４ａにおける壁部１５ａの上端部と同じ高さの部分との間の長さである。第１の溝１５は、左端、すなわち第１の溝１５の入り口の底面が、底面部１１と同じ高さになっている。第１の溝１５の深さは、左端から排水凹部１３ａに近づくほど徐々に深くなり、排水凹部１３ａの近傍の最も深い部分が約１２ｍｍに設定されている。また、第１の溝１５の前部の壁部１５ａの上端部の右端は、排水凹部１３ａの前端左部分よりも僅か前方に位置している。第１の溝１５の後部の壁部は、水栓設置部１４の前面部１４ａで構成される。
【００２５】
第２の溝１６は、底面部１１の後縁部１１ｃに沿って、後縁部１１ｃの右端部近傍から排水凹部１３ａまでの間に形成されており、第２の溝１６の左右の長さは後縁部１１ｃの長さの略半分に設定されている。そして、第２の溝１６は排水口１３の側部全体に繋がっている。この第２の溝１６の幅は、右端部が約７０ｍｍに設定され、排水凹部１３ａに近づくほど徐々に広くなって、排水凹部１３ａの近傍の最も広い部分が約１２０ｍｍに設定されている。なお、第２の溝１６の幅は、図８に示した前部の壁部１６ａの上端部と、後壁部１２ｃにおける壁部１６ａの上端部と同じ高さの部分との間の長さである。
【００２６】
第２の溝１６は、右端、すなわち第２の溝１６の入り口の底面が、底面部１１と同じ高さになっている。第２の溝１６の深さは、右端から排水凹部１３ａに近づくほど徐々に深くなり、排水凹部１３ａの近傍の最も深い部分が約１２ｍｍに設定されている。また、第２の溝１６の前部の壁部１６ａの上端部の左端は、排水凹部１３ａの前端右部分よりも僅か前方に位置しており、第２の溝１６の後部の壁部は、後壁部１２ｃで構成される。
【００２７】
第１の溝１５は排水凹部１３ａの側部の前端部を含む一部に繋がり、第２の溝１６は排水凹部１３ａの側部全体に繋がっているため、第１および第２の溝１５，１６の少なくとも下流端の幅が、第１の溝１５よりも第２の溝１６の方が広くなっている。このため、第１および第２の溝１５，１６を流れる水の量が同じであれば、第１の溝１５を流れる水の速度よりも第２の溝１６を流れる水の速度の方が遅くなる。このように、シンク１０の底面部１１の左右で水の流速が異なることで、水の流れが興趣に富むものとなる。また、第１の溝１５と第２の溝１６の幅を変えることで、デザイン的に優れたものとなり、シンク１０の美観が増すようになる。
【００２８】
なお、排水凹部１３ａの近傍の第１の溝の底面の高さと、第２の溝の底面の高さは同じである。さらに、第１の溝１５の壁部１５ａと、第２の溝１６の壁部１６ａは、排水凹部１３ａの前方に形成された壁部１３ｄを介して繋がっている。壁部１３ｄの高さは、第１の溝１５の右端、すなわち、第１の溝１５が排水口１３に繋がる部分の高さと同一である。また、壁部１３ｄの高さは、第２の溝１６の左端、すなわち、第２の溝１６が排水口１３に繋がる部分の高さとも同一である。また、第１の溝１５の後部の壁部と、第２の溝１６の後部の壁部は、前面部１４ａの右側部分と後壁部１２ｃの左側部分を介して繋がっている。平面視による排水凹部１３ａと壁部１３ｄとの間隔は、排水凹部１３ａと後壁部１２ｃとの間隔よりも、壁部１３ｄと後壁部１２ｃとの高低差に略比例して狭くなっている。
【００２９】
排水口蓋１７は、排水凹部１３ａの開口に取り付けられており、図９（ａ）〜（ｃ）に示したように、覆い部１７ａと、覆い部１７ａと一体に樹脂成形された４つの脚部１７ｂで構成されている。覆い部１７ａは、平面視による形状が、排水凹部１３ａの上端開口の周縁部よりも少し小さい略四角形の板状に形成されている。覆い部１７ａの下面は平面に形成され、覆い部１７ａの上面は中央部が周縁部よりも僅かに上方に突出した曲面に形成されている。
【００３０】
脚部１７ｂは、覆い部１７ａの下面における前縁部および後縁部のそれぞれ左右両側に間隔を保って形成されている。覆い部１７ａの前縁部に設けられた２つの脚部１７ｂは、覆い部１７ａの下面から前方斜め下方に突出し、覆い部１７ａの後縁部に設けられた２つの脚部１７ｂは、覆い部１７ａの下面から後方斜め下方に突出しており、それらの外側部分は、平面視で覆い部１７ａの前後にそれぞれ突出している。また、図９（ｂ）に示したように、左右に配置された一対の脚部１７ｂはハの字のように下方が広がり、図９（ｃ）に示したように、前後に配置された一対の脚部１７ｂはハの字のように下方が広がっている。
【００３１】
排水口蓋１７は、各脚部１７ｂの下部外側面を排水凹部１３ａの内周面の上端近傍に当接させ、覆い部１７ａの上面中央部分の高さを底面部１１の後部の高さと略同じにして設置される。このとき、覆い部１７ａの左右の縁部と第１の溝１５および第２の溝１６の底面との間には、比較的大きな残菜でも通過できる隙間が生じる。また、覆い部１７ａの前縁部と排水凹部１３ａの内周面との間および覆い部１７ａの後縁部と排水凹部１３ａの内周面との間には、比較的小さな残菜だけが通過できる隙間が生じる。そして、各脚部１７ｂは、覆い部１７ａの前縁部と後縁部に設けられているため、第１の溝１５および第２の溝１６から残菜が水と一緒に排水凹部１３ａに流れてきたときに、脚部１７ｂが残菜の流れを妨げることはない。
【００３２】
この構成において、シンク１０を用いて野菜や食器などを洗う場合には、まず、排水凹部１３ａ内に、異物が排水管に流れることを防止するための網籠を設置する。そして、シンク１０の底面部１１の作業面（第１の溝１５と第２の溝１６を除いた部分）に、野菜や食器などを置き、一方の水栓から水を出しながらその水と洗剤を用いて野菜や食器を洗う。これによって、洗剤を含む使用済の水（排水）のうち、底面部１１の左側に流れる排水は第１の溝１５を通過して排水凹部１３ａ内に入り、底面部１１の右側に流れる排水は第２の溝１６を通過して排水凹部１３ａ内に入る。また、一部の排水は底面部１１の中央部分を通過して排水凹部１３ａ内に入る。
【００３３】
この場合、第２の溝１６を流れる排水は右から左に幅を広げながら流速を徐々に遅くして流れるのに対し、第１の溝１５を流れる排水は左前方から右後方に同じ幅で略一定の速度で流れる。このため、第１の溝１５を流れる排水と、第２の溝１６を流れる排水とが下流部分で合流すると、合流した排水は後方に向かうようになり、前方に向かって逆流することはない。
【００３４】
また、排水と一緒に残菜が流れる場合には、その残菜は第１の溝１５または第２の溝１６を通過して排水凹部１３ａ内に入る。その際、残菜が勢いよく流れて、水栓設置部１４の前面部１４ａや後壁部１２ｃに衝突したのちに前方に押し戻されようとしても、第１の溝１５の壁部１５ａと第２の溝１６の壁部１６ａによって残菜が底面部１１の中央側に移動することは防止される。さらに、残菜が排水口蓋１７の後方に流れても排水口蓋１７の後方には、後壁部１２ｃが位置し、後壁部１２ｃと排水凹部１３ａの後壁面１３ｃとの間には残菜が溜まるような水平面はないため、残菜は排水凹部１３ａ内に入っていく。そして、排水凹部１３ａ内に入った残菜は網籠内に溜まり、排水だけが排水孔１３ｂから排水管に流れていく。
【００３５】
また、もう一方の水栓から浄水を取り出す場合は、浄水供給用の水栓を操作する。この場合、２つの水栓は、水栓設置部１４の傾斜に沿うように、前方から見て斜めに配置されているため、シンク１０の中央前方に立った使用者からは略同じ距離に位置している。このため、浄水供給用の水栓が一方の水栓の左右どちらの方に設置されていても、一方の水栓と同様の使い勝手で使用することができる。
【００３６】
以上のように、本実施形態に係るシンク１０では、底面部１１の後部中央に排水口１３が形成され排水口１３の左側に水栓を設置するための水栓設置部１４が設けられている。そして、水栓設置部１４の前面部１４ａに沿って第１の溝１５が形成され、後壁部１２ｃに沿って第２の溝１６が形成されている。このため、シンク１０で使用されたのちの排水は第１の溝１５および第２の溝１６を通過して排水口１３に流れる。このとき、シンク１０内に残菜があればこの残菜も排水と一緒に排水口１３に向かって流れる。
【００３７】
この場合、残菜と水が水栓設置部１４の前面部１４ａや後壁部１２ｃに当たっても、第１の溝１５の壁部１５ａおよび第２の溝１６の壁部１６ａがあるため、残菜と水は、底面部１１の作業面側に跳ね返されることなく排水口１３に導かれる。また、第１の溝１５と第２の溝１６は、排水口１３を挟んで向き合っているため、水や残菜が排水口１３を超えて他方の溝１５，１６に流れることが防止される。
【００３８】
また、排水口１３が四角形に形成され、第１の溝１５および第２の溝１６が、それぞれ排水口１３の側部に繋がっているため、第１の溝１５および第２の溝１６を通過する排水や残菜が底面部１１の作業面に流れたり、排水口１３を超えて他方の溝１５，１６に流れたりすることがより確実に防止される。さらに、第１の溝１５は排水口１３の側部の一部に繋がり、第２の溝１６は排水口１３の側部全体に繋がっているため、第１の溝１５と第２の溝１６とで、排水の流速が異なるようになる。このように、底面部１１の左右で排水の流速が異なることで、排水の流れに面白みが生じる。また、第１の溝１５と第２の溝１６を左右非対対称にすることで、シンク１０はデザイン的に優れたものとなり、シンク１０の美観が増すようになる。
【００３９】
また、排水凹部１３ａの後壁面１３ｃと後壁部１２ｃとの間に残菜が溜まるスペースがないため、残菜が排水凹部１３ａの後方に流れてきたとしても、そこに留まることなく排水凹部１３ａ内に向かうようになる。さらに、水栓設置部１４が、排水口１３に近い部分が後方に位置し、排水口１３から離れるほど前方に位置するように傾斜して設置されているため、シンク１０の作業面を広くすることができるとともに、２つの水栓を使い勝手が良くなるように配置することができる。
【００４０】
また、排水口蓋１７を板状の覆い部１７ａと、覆い部１７ａの前後にそれぞれ２つ左右に間隔を保って設けられた４つの脚部１７ｂで構成し、覆い部１７ａと排水凹部１３ａとの間に、上下方向の隙間だけでなく平面視の状態でも隙間が生じるようにしている。このため、残菜は、排水凹部１３ａと排水口蓋１７との間に詰まることなく、排水凹部１３ａ内に入っていくようになる。さらに、脚部１７ｂが残菜の流れを妨げることもない。
【００４１】
また、本発明に係るシンクは、前述した各実施形態に限定するものでなく、適宜変更して実施することができる。例えば、前述した実施形態では、水栓設置部１４をシンク１０の後部左側に設けているが、後部右側に設けてもよい。また、前述した実施形態では、シンク１０の後部左に傾斜部分を設けて平面視が五角形になるようにしているが、平面視が四角形になるようにしてもよい。さらに、排水口１３および排水口蓋１７の平面視による形状は丸形であってもよい。また、脚部１７ｂの数は、３または５以上であってもよい。さらに、それ以外の部分の構成についても本発明の技術的範囲内で適宜変更することができる。
【符号の説明】
【００４２】
１０…シンク、１１…底面部、１２…周壁部、１２ａ…左側壁部、１２ｃ…後壁部、１２ｅ…後部左傾斜部，１３…排水口、１３ａ…排水凹部、１３ｂ…排水孔、１３ｃ…後壁面、１４…水栓設置部、１４ａ…前面部、１４ｂ…上面部、１５…第１の溝、１６…第２の溝。
【図１】
2018012947.tif 000003
【図２】
2018012947.tif 000004
【図３】
2018012947.tif 000005
【図４】
2018012947.tif 000006
【図５】
2018012947.tif 000007
【図６】
2018012947.tif 000008
【図７】
2018012947.tif 000009
【図８】
2018012947.tif 000010
【図９】
2018012947.tif 000011